(57)【要約】【課題】イーサネット保護を提供する方法等を提供する。【解決手段】第１及び第２のＬＡＮカードをマルチサービスプラットフォームに設けるステップを有する、ＬＡＮ接続の保護を提供する方法が提供される。第１及び第２のＬＡＮカードは夫々少なくとも１つのポートを有する。第１及び第２のＬＡＮカードは、ＬＡＮトラフィックを伝送するよう各自のポートを介してネットワークエッジデバイスへ結合される。方法はまた、第１のＬＡＮカードをアクティブカードとして及び第２のＬＡＮカードを非アクティブカードとして指定するステップを有する。方法は、第１のＬＡＮカードに関連するネットワーク障害を検出するステップと、第２のＬＡＮカードをアクティブカードとして及び第１のＬＡＮカードを非アクティブカードとして指定することによって、第２のＬＡＮカードとＬＡＮとの間で伝送れるＬＡＮトラフィックを保護するステップとを更に有する。【選択図】図２
2008141754.tif 000002
【特許請求の範囲】
【請求項１】
ローカルエリアネットワーク（ＬＡＮ）接続の保護を提供する方法であって、
少なくとも１つのポートを夫々有し、ＬＡＮトラフィックを伝送するようそれらの夫々のポートを介してネットワークエッジデバイスへ結合される第１及び第２のＬＡＮカードをマルチサービスプラットフォームに設けるステップと、
ＬＡＮトラフィックが前記第１のＬＡＮカードのポートから前記ネットワークエッジデバイスへと伝送されるように前記第１のＬＡＮカードのポートをアクティブにするよう、前記第１のＬＡＮカードをアクティブカードとして指定し、ＬＡＮトラフィックが前記第２のＬＡＮカードのポートから前記ネットワークエッジデバイスへと伝送されないように前記第２のＬＡＮカードのポートを非アクティブにするよう、前記第２のＬＡＮカードを非アクティブカードとして指定するステップと、
前記第１のＬＡＮカードに関連するネットワーク障害を検出するステップと、
前記第２のＬＡＮカードをアクティブカードとして及び前記第１のＬＡＮカードを非アクティブカードとして指定し、前記ＬＡＮトラフィックを前記第２のＬＡＮカードから前記ネットワークエッジデバイスへと伝送することによって、前記第２のＬＡＮカードと前記ＬＡＮとの間でやり取りされるＬＡＮトラフィックを保護するステップとを有する方法。
【請求項２】
前記第１のＬＡＮカード及び前記第２のＬＡＮカードへ結合され、且つ、ワイドエリアネットワーク（ＷＡＮ）へ結合されるスイッチ構造をマルチサービスプラットフォームに設けるステップと、
前記第１のＬＡＮカードへ結合される第１の入力部と、前記第２のＬＡＮカードへ結合される第２の入力部とを有し、前記第１の入力部と前記第２の入力部との間を選択するよう動作可能な経路選択器を前記スイッチ構造に設けるステップとを更に有し、
前記第１のＬＡＮカードをアクティブカードとして及び前記第２のＬＡＮカードを非アクティブカードとして指定する前記ステップは、前記経路選択器が前記ＷＡＮを介して送るよう前記第１のＬＡＮカードからトラフィックを選択するように、不具合インジケータを前記経路選択器の前記第２の入力部へ送信する、請求項１記載の方法。
【請求項３】
前記第２のＬＡＮカードをアクティブカードとして及び前記第１のＬＡＮカードを非アクティブカードとして指定することによってＬＡＮトラフィックを保護する前記ステップは、前記経路選択器が前記ＷＡＮを介して送るよう前記第２のＬＡＮカードからトラフィックを選択するように、不具合インジケータを前記経路選択器の前記第１の入力部へ送る、請求項２記載の方法。
【請求項４】
前記第１のＬＡＮカード及び前記第２のＬＡＮカードのポートは、夫々、光ファイバを介して光信号を送信可能なレーザ送信器を少なくとも１つ有し、
前記第１のＬＡＮカードのポートをアクティブにするステップは、前記レーザ送信器をオンにするステップを含み、
前記第２のＬＡＮカードのポートを非アクティブにするステップは、前記レーザ送信器をオフにするステップを含む、請求項１記載の方法。
【請求項５】
ローカルエリアネットワーク（ＬＡＮ）へ結合されるマルチサービスプラットフォームであって、
少なくとも１つのポートを夫々有し、ＬＡＮトラフィックを伝送するようそれらの夫々のポートを介してネットワークエッジデバイスへ結合される第１及び第２のＬＡＮカードを有し、
ＬＡＮトラフィックが前記第１のＬＡＮカードのポートから前記ネットワークエッジデバイスへと伝送されるように前記第１のＬＡＮカードのポートをアクティブにするよう、前記第１のＬＡＮカードをアクティブカードとして指定し、ＬＡＮトラフィックが前記第２のＬＡＮカードのポートから前記ネットワークエッジデバイスへと伝送されないように前記第２のＬＡＮカードのポートを非アクティブにするよう、前記第２のＬＡＮカードを非アクティブカードとして指定し、
前記第１のＬＡＮカードに関連するネットワーク障害を検出し、且つ
前記第２のＬＡＮカードをアクティブカードとして及び前記第１のＬＡＮカードを非アクティブカードとして指定し、前記ＬＡＮトラフィックを前記第２のＬＡＮカードから前記ネットワークエッジデバイスへと伝送することによって、前記第２のＬＡＮカードと前記ＬＡＮとの間でやり取りされるＬＡＮトラフィックを保護するよう動作するマルチサービスプラットフォーム。
【請求項６】
前記第１のＬＡＮカード及び前記第２のＬＡＮカードへ結合され、且つ、ワイドエリアネットワーク（ＷＡＮ）へ結合されるスイッチ構造と、
前記第１のＬＡＮカードへ結合される第１の入力部と、前記第２のＬＡＮカードへ結合される第２の入力部とを有し、前記第１の入力部と前記第２の入力部との間を選択するよう動作可能な経路選択器とを更に有し、
前記第１のＬＡＮカードをアクティブカードとして及び前記第２のＬＡＮカードを非アクティブカードとして指定するよう動作可能な当該マルチサービスプラットフォームは、前記経路選択器が前記ＷＡＮを介して送るよう前記第１のＬＡＮカードからトラフィックを選択するように、不具合インジケータを前記経路選択器の前記第２の入力部へ送信する、請求項５記載のマルチサービスプラットフォーム。
【請求項７】
前記第１のＬＡＮカード及び前記第２のＬＡＮカードのポートは、夫々、光ファイバを介して光信号を送信可能なレーザ送信器を少なくとも１つ有し、
前記第１のＬＡＮカードのポートのアクティブ化は、前記レーザ送信器をオンにし、
前記第２のＬＡＮカードのポートの非アクティブ化は、前記レーザ送信器をオフにする、請求項５記載のマルチサービスプラットフォーム。
【請求項８】
前記第１のＬＡＮカードのポートのアクティブ化及び前記第２のＬＡＮカードのポートの非アクティブ化は、ＬＡＮトラフィックを前記第２のＬＡＮカードへ伝送するための前記ネットワークエッジデバイスに対する指示に対応する、請求項５記載のマルチサービスプラットフォーム。
【請求項９】
前記第１のＬＡＮカード及び前記第２のＬＡＮカードへ結合され、且つ、ワイドエリアネットワーク（ＷＡＮ）へ結合されるスイッチ構造と、
前記第１のＬＡＮカードへ結合される第１の入力部と、前記第２のＬＡＮカードへ結合される第２の入力部とを有し、前記第１の入力部と前記第２の入力部との間を選択するよう動作可能な経路選択器とを更に有し、
ＬＡＮトラフィックを前記第２のＬＡＮカードへ伝送するための前記ネットワークエッジデバイスに対する前記指示は、前記経路選択器が前記ＷＡＮを介して送るよう前記第２のＬＡＮカードからトラフィックを選択するように、不具合インジケータが前記経路選択器の前記第１の入力部へ送信されることをもたらす、請求項８記載のマルチサービスプラットフォーム。
【請求項１０】
ローカルエリアネットワーク（ＬＡＮ）接続の保護を提供するシステムであって、
少なくとも１つのポートを夫々有し、ＬＡＮトラフィックを伝送するようそれらの夫々のポートを介してネットワークエッジデバイスへ結合される第１及び第２のＬＡＮカードを有するマルチサービスプラットフォームと、
ＬＡＮトラフィックが前記第１のＬＡＮカードのポートから前記ネットワークエッジデバイスへと伝送されるように前記第１のＬＡＮカードのポートをアクティブにするよう、前記第１のＬＡＮカードをアクティブカードとして指定し、ＬＡＮトラフィックが前記第２のＬＡＮカードのポートから前記ネットワークエッジデバイスへと伝送されないように前記第２のＬＡＮカードのポートを非アクティブにするよう、前記第２のＬＡＮカードを非アクティブカードとして指定し、
前記第１のＬＡＮカードに関連するネットワーク障害を検出し、且つ
前記第２のＬＡＮカードをアクティブカードとして及び前記第１のＬＡＮカードを非アクティブカードとして指定し、前記ＬＡＮトラフィックを前記第２のＬＡＮカードから前記ネットワークエッジデバイスへと伝送することによって、前記第２のＬＡＮカードと前記ＬＡＮとの間でやり取りされるＬＡＮトラフィックを保護する手段とを有するシステム。
【発明の詳細な説明】
【技術分野】
【０００１】
本発明は、概して、通信システムに関し、より具体的には、イーサネット(登録商標)保護を提供する方法及びシステムに関する。
【背景技術】
【０００２】
電気通信システム、ケーブルテレビシステム及びデータ通信ネットワークは、遠く離れた地点の間で大量の情報を容易にやり取りするためにネットワークを用いる。このような情報をやり取りするために用いられるネットワークの１つの形式は光ネットワークである。光ネットワークにおいて、情報は光ファイバを通る光信号の形でやり取りされる。多種多様な光ネットワークが特有の用途及びネットワーク規模に依存して用いられうるが、光ネットワークの１つの共通する形式は同期光ネットワーク（Ｓｙｎｃｈｒｏｎｏｕｓ  Ｏｐｔｉｃａｌ  Ｎｅｔｗｏｒｋ；ＳＯＮＥＴ）である。
【０００３】
ＳＯＮＥＴネットワーク並びに他の形式の光及びその他（光以外の）ネットワークでは、ネットワーク上での情報のやり取りの際に不具合を保護するよう設備余剰を設けることが重要である。ＳＯＮＥＴネットワークは、例えばノード障害又はファイバ切断といった、ネットワークにおける不具合に対処するよう多様な保護技術を実施することができる。例えば、ＳＯＮＥＴは、余分の通信リンクを用いることができる。従って、通信リンクが停止する場合に、代替リンクが供給され得る。
【０００４】
異機種ネットワークは、マルチサービス配信のためのサービスプロバイダネットワークの担体によってますます展開されつつある。異機種ネットワークは、多数のデータトラフィック形式をサポートすることができるマルチサービスプラットフォームの有効性によって、今日、駆動されている。例えば、マルチサービスプラットフォームは、ローカルエリアネットワーク（ＬＡＮ）用のイーサネット(登録商標)トラフィック及びメトロポリタンエリアネットワーク（ＭＡＮ）におけるＳＯＮＥＴトラフィックをサポートすることができる。
【発明の開示】
【発明が解決しようとする課題】
【０００５】
しかし、ＳＯＮＥＴとは異なり、イーサネット(登録商標)サービスは、通常は保護されず、“ベストエフォート型”の配信システムの下で動作する。ベストエフォート型サービスは保証されず、従って、高いレベルの信頼性を提供しない。一般に、異機種ネットワークにおいて高いレベルの信頼性を提供することが望ましい。
【０００６】
本発明は、従来の方法及びシステムに関連する欠点及び問題の少なくとも幾つかを実質上解消又は軽減する、イーサネット(登録商標)保護を提供する方法及びシステムを提供する。
【課題を解決するための手段】
【０００７】
本発明の特定の態様に従って、ローカルエリアネットワーク（ＬＡＮ）接続の保護を提供する方法は、第１及び第２のＬＡＮカードをマルチサービスプラットフォームに設けるステップを有する。前記第１及び第２のＬＡＮカードは、夫々、少なくとも１つのポートを有する。前記第１及び第２のＬＡＮカードは、ＬＡＮトラフィックを伝送するようそれらの夫々のポートを介してネットワークエッジデバイスへ結合される。当該方法は、また、前記第１のＬＡＮカードをアクティブカードとして及び前記第２のＬＡＮカードを非アクティブカードとして指定するステップを有する。前記第１のＬＡＮカードをアクティブカードとして指定するステップは、ＬＡＮトラフィックが前記第１のＬＡＮカードのポートから前記ネットワークエッジデバイスへと伝送されるように、前記第１のＬＡＮカードのポートをアクティブにするステップを含む。前記第２のＬＡＮカードを非アクティブカードとして指定するステップは、ＬＡＮトラフィックが前記第２のＬＡＮカードのポートから前記ネットワークエッジデバイスへと伝送されないように、前記第２のＬＡＮカードのポートを非アクティブにするステップを含む。当該方法は、前記第１のＬＡＮカードに関連するネットワーク障害を検出するステップを更に有する。当該方法は、前記第２のＬＡＮカードをアクティブカードとして及び前記第１のＬＡＮカードを非アクティブカードとして指定することによって、前記第２のＬＡＮカードと前記ＬＡＮとの間でやり取りされるＬＡＮトラフィックを保護するステップを更に有する。
【発明の効果】
【０００８】
本発明の特定の態様の技術的効果は、標準的なイーサネット(登録商標)の“ベストエフォート型”サービスによって信頼できる伝送をサポートする、イーサネット保護を提供する方法及びシステムを包含する。従って、潜在的なネットワーク障害に関連するリスクは実質上減じられる。
【０００９】
他の技術的効果は、図面、明細書及び特許請求の範囲から、いわゆる当業者には容易に理解されるであろう。更に、特定の効果が上述されたが、様々な実施形態は、挙げられた効果の全て又は幾つかを含んでも、あるいは、全く含まなくても良い。
【発明を実施するための最良の形態】
【００１０】
本発明の特定の態様及びそれらの効果に関するより完全な理解のために、ここで、添付の図面に関連する以下の記載を参照する。
【００１１】
図１は、通信リンク１４を介して情報をやり取りするための例となる異機種ネットワーク１０を表すブロック図である。ネットワーク１０は、概して、ＳＯＮＥＴネットワーク２０及びイーサネット(登録商標)ネットワーク２２の間で情報をやり取りするハードウェア及び／又はソフトウェアのいずれかの接続を表す。例えば、通信セッションは、ＳＯＮＥＴネットワーク２０を介して、イーサネットネットワーク２２ａに含まれる１又はそれ以上のデバイスと、イーサネットネットワーク２２ｂに含まれる１又はそれ以上のデバイスとの間に確立され得る。一実施形態に従って、イーサネットトラフィックは、イーサネットネットワーク２２と、関連するマルチサービスプラットフォーム（ＭＳＰ）３０との間でやり取りされ得る。以下で更に詳細に記載されるように、ＭＳＰ３０は、イーサネットトラフィックからデータの同期ストリームを生成することによって、ネットワークエッジデバイス４０から受け取ったイーサネットトラフィックをＳＯＮＥＴトラフィックへ変換することができる。同期ストリームは、ＳＯＮＥＴネットワーク２０へ送られる。同様に、ＭＳＰ３０は、ネットワークエッジデバイス４０を介するＳＯＮＥＴネットワーク２０からイーサネットネットワーク２２への通信のために、受け取ったＳＯＮＥＴトラフィックをイーサネットトラフィックへ変換することができる。このように、トラフィックは、ＳＯＮＥＴネットワーク２０を介してイーサネットネットワーク２２の間でやり取りされ得る。
【００１２】
上述されたように、ネットワーク１０は、イーサネット(登録商標)ネットワーク２２におけるデバイス間の通信セッションのようなサービスを提供するよう動作する。通信セッションは、エンドポイントからエンドポイントまで測定される、エンドポイント間のアクティブ通信を指す。情報は、音声、データ、テキスト、オーディオ、ビデオ、マルチメディア、制御、信号伝達、他の情報、又はこれらのいずれかの組合せを指す。情報は、データトラフィックを用いてやり取りされ得る。本開示において信号とも呼ばれるデータトラフィックは、概して、いずれかの選択された方法に従って送信された１又はそれ以上のビットのデータ、アドレス、制御、又はこれらのいずれかの組合せを指す。データトラフィックは、例えば、イーサネットプロトコルのイーサネットトラフィック及びＳＯＮＥＴプロトコルのためのＳＯＮＥＴトラフィックのような、いずれかの代表的なフォーマット又はプロトコルにおけるデータ、音声、アドレス、及び／又は制御であっても良い。
【００１３】
ネットワーク１０は、通信セッションを提供するために、いずれかの適切な通信プロトコル及び方式を利用することができる。例となる通信プロトコル及び方式は、電気電子技術者協会（ＩＥＥＥ）８０２．ｘｘ標準、若しくはＷｉＭＡＸ標準、国際電気通信連合（ＩＴＵ−Ｔ）標準、欧州電気通信標準化機構（ＥＴＳＩ）標準、インターネット・エンジニアリング・タスク・フォース（ＩＥＴＦ）標準、第３世代パートナーシップ・プロジェクト（３ＧＰＰ）標準、又は他の標準によって記載されるものを含む。
【００１４】
ＳＯＮＥＴ及びイーサネット(登録商標)ネットワークについて記載されるが、ＳＯＮＥＴネットワーク２０及びイーサネットネットワーク２２は、如何なる適切な通信ネットワークをも表す。通信ネットワークは、公衆交換電話網（ＰＳＴＮ）、公共又は個人のデータネットワーク、ローカルエリアネットワーク（ＬＡＮ）、メトロポリタンエリアネットワーク（ＭＡＮ）、ワイドエリアネットワーク（ＷＡＮ）、例えばインターネットのようなグローバルコンピュータネットワーク、有線又は無線ネットワーク、特定の場所若しくは地域若しくは全世界の通信ネットワーク、企業イントラネット、他の適切な通信リンク、又はそれらのいずれかの組合せの全て又は一部を表す。ネットワーク１０内のリンク１４は、例えば、光ファイバ、電線、ケーブル、バストレース、無線チャネル、又はその他適切な物理的若しくは仮想的メディアのような、通信経路を確立するいずれかの適切な物理的若しくは仮想的情報伝達メディアを指す。
【００１５】
ネットワーク１０の構成要素は、ロジック、インターフェース、メモリ、他の構成要素、又はそれらのいずれかの適切な組合せを含みうる。「ロジック」は、ハードウェア、ソフトウェア、他のロジック、又はそれらのいずれかの適切な組合せを指す。あるロジックは、デバイスの動作を管理することができ、例えばプロセッサを有しても良い。「インターフェース」は、デバイスに対する入力を受け取り、デバイスからの出力を送信し、入力若しくは出力又はそれら両方の適切な処理を実行し、あるいは、それらのいずれかの組合せを実施するよう動作可能なデバイスのロジックを指し、１又はそれ以上のポート、変換ソフトウェア、又はそれら両方を有しても良い。「メモリ」は、情報を記憶して、その検索を容易にするよう動作可能なロジックを指し、ランダムアクセスメモリ（ＲＡＭ）、読み出し専用メモリ（ＲＯＭ）、磁気ドライブ、ディスクドライブ、コンパクトディスク（ＣＤ）ドライブ、デジタルビデオディスク（ＤＶＤ）ドライブ、取り外し可能なメディア記憶装置、その他適切なデータ記憶媒体、又はそれらのいずれかの組合せを有しても良い。
【００１６】
上述されたように、ネットワーク１０は、１又はそれ以上のネットワークエッジデバイス４０及びＭＳＰ３０を有する。ネットワークエッジデバイス４０は、イーサネット(登録商標)ネットワーク２２とＭＳＰ３０との間で情報をやり取りするよう動作可能な如何なる装置をも表す。ネットワークエッジデバイス４０は、イーサネットネットワーク２２とＭＳＰ３０との間の情報のやり取りを可能にするよういずれかの適切な通信プロトコルを実施する、例えば、ルータ、ハブ、スイッチ、ゲートウェイ、アクセスポイント、エンドポイント、エッジポイント、又はその他ハードウェア、ソフトウェア若しくは埋め込みロジックでありうる。
【００１７】
ＭＳＰ３０は、いずれかの適切な方法でイーサネット(登録商標)ネットワーク２２とＳＯＮＥＴネットワーク２０との間のインターフェースを提供するよう動作する如何なる適切な装置をも表す。例えば、ＭＳＰ３０は、夫々、イーサネットカード３２を用いて関連するネットワークエッジデバイス４０と通信し、且つ、ＳＯＮＥＴインターフェース３４を用いてＳＯＮＥＴネットワーク２０を介してＳＯＮＥＴトラフィックをやり取りするよう動作する。ＭＳＰ３０は、また、イーサネットトラフィックをＳＯＮＥＴトラフィックへ、及び、ＳＯＮＥＴトラフィックをイーサネットトラフィックへ変換することもできる。例えば、ＭＳＰ３０は、ＳＯＮＥＴ（ＥＯＳ）フレーマ上でイーサネットを用いてトラフィックを変換するよう動作可能なマルチサービス・プロビジョニング・プラットフォーム（ＭＳＰＰ）であっても良い。ＥＯＳフレーマは、ＳＯＮＥＴトラフィックにおけるイーサネットトラフィックの通信のための一群の標準に従う構成要素を指す。ＥＯＳフレーマは、例えば、仮想連結（ＶＣ）、リンク容量調整方式（ＬＣＡＳ）、ジェネリック・フレーミング・プロシージャ（ＧＦＰ）、ＳＤＨ用リンクアクセスプロシージャ（ＬＡＰＳ）、又はその他適切な方式のような、１又はそれ以上の方式を用いてトラフィックを変換することができる。
【００１８】
ＳＯＮＥＴネットワーク２０は、音声及びデータ情報を伝達可能ないずれかの適切なネットワークである。ＳＯＮＥＴネットワーク２０は、例えば、ポイント・ツー・ポイントネットワーク、ポイント・ツー・マルチポイントネットワーク、ハブネットワーク、又はリングネットワークのような、いずれかの形式のネットワーク構造を有しうる。本発明の実施形態は、同期デジタル階層（ＳＤＨ）ネットワークのような他の形式の同期光ネットワークへ、あるいは、非同期伝送モード（ＡＴＭ）ネットワーク及びフレームリレーネットワークのような他のＷＡＮへ同様に適用され得る。
【００１９】
ネットワーク１０は、ネットワーク１０上で提供される通信セッションにおいて中断を引き起こしうるネットワーク障害を経験することがある。ネットワーク障害は、リンク停止（ファイバの切断、送信器の故障。）及び装置停止（設定間違い、プロセッサ又はラインカードの故障、電力異常、電源の故障。）のような、いずれかの接続停止を指す。ネットワーク故障は、伝達されるトラフィックに影響を及ぼさないように、しばしば一定の制約及び性能レベルの範囲内で、停止後に即座に接続を回復することがしばしば必要とされるので、解決が困難である。このように、重要な、優先度の高いトラフィックを搬送するトラフィック制御ネットワークは、ネットワーク障害に対する保護を必要としうる。
【００２０】
ＳＯＮＥＴネットワーク２０のようなＳＯＮＥＴネットワークは、様々な保護技術を用いて、ネットワーク故障を防ぐことができる。例えば、ＳＯＮＥＴネットワーク２０は、自己回復リングネットワークを用いた保護を提供することができる。リングネットワークは、全てのＭＳＰ３０が同じ組の物理的リンクに置かれるところのネットワークトポロジーである。リングネットワークにおけるリンクはループを形成することができる。リングネットワークにおける全てのリンクは無指向性であり、トラフィックは、リンクの一方では１つの方向で流れ、他方では逆方向で流れうる。自己回復リングは、保護を提供するようトラフィックを別経路で送る特有のリングネットワークである。例として、ＳＯＮＥＴトラフィックは、特定のリンクにおいて１つの方向で発信源から目的地へ送られる。リンクが機能しないならば、機能していないリンクが回避されるように、他の方向が目的地に達するために使用され得る。例えば、メッシュアーキテクチャ及び自動保護切り替えといった、ＳＯＮＥＴ保護技術の他の実施形態が使用されても良い。
【００２１】
イーサネット(登録商標)ネットワーク２２のようなイーサネットネットワークは、通常は保護されず、「ベストエフォート型」の伝送システムしか提供しない。ベストエフォート型サービスは保証されず、従って、高いレベルの信頼性を提供しない。このようなネットワークにおけるネットワーク故障の場合のネットワーク接続の回復は、数分を要し、その間にサービスの途絶を引き起こしうる。長期の停止は、目的が極めて信頼性の高いサービス及びアップタイムを提供することである場合、重要な懸案事項となりうる。例えば、ＳＯＮＥＴネットワークでは、必要とされる回復時間は数十ミリ秒のオーダーである。
【００２２】
イーサネット(登録商標)保護を提供する様々な技術は、例えば、ＩＥＥＥ規格８０２．３ａｄの一部として定められているリンクアグリゲーションのような、トランキング（ｔｒｕｎｋｉｎｇ）プロトコルを含む。かかるプロトコルは、２つのイーサネットカードの間の複数のリンクを統合するための手段を提供する。統合された１又は複数のリンクが機能しない場合、ネットワークトラフィックは、保護される物理的リンクを流れるよう動的に方向を変更され得る。
【００２３】
しかし、ＭＳＰ３０のようなＭＳＰの多数の実施は、それらがイーサネット(登録商標)カード間のトラフィックのクロス通信をサポートしないので、リンクアグリゲーションを完全にはサポートしない。従って、ネットワーク障害が発生する場合に、かなりの時間が、失われた接続を回復するためのネットワーク再構成に必要とされ得る。
【００２４】
本発明の特定の実施形態は、接続のためにＭＳＰ３０の１つのイーサネット(登録商標)カードをアクティブカードとして及びＭＳＰ３０の第２のイーサネットカードを非アクティブカードとして指定することによって、ＭＳＰ３０とネットワークエッジデバイス４０との間のイーサネット接続に保護を提供する。２つのイーサネットカードの１又はそれ以上のポートは、アクティブ状態のイーサネットカードが通常動作の間はイーサネットトラフィックを送信及び受信するために使用され得るように、且つ、非アクティブ状態のイーサネットカードが、不具合がアクティブ状態のイーサネットカードで検出される場合に、トラフィックを送信及び受信するために使用されるように、結合され得る。不具合が検出される場合、故障伝播技術は、アクティブカードでイーサネットポートを非アクティブにし、非アクティブカードでイーサネットポートをアクティブにするために使用され得、それによって、接続されたネットワークエッジデバイス４０に最近アクティブとなったイーサネットカードとの通信を開始するよう指示する。例えば、ネットワークエッジデバイス４０は、最近アクティブとなったイーサネットカードと自動的に通信し始めるようリンクアグリゲーションの下で構成されても良い。本発明の例となる実施形態の更なる詳細については、以下でより詳細に記載される。
【００２５】
図２は、本発明の一実施形態に従うＭＳＰ３０の詳細を表すブロック図である。ＭＳＰ３０の選択された構成要素がハイレベルで図２に表されているが、当然、ＭＳＰ３０は、ＭＳＰ３０の動作に応じて、ＭＳＰのその他周知の構成要素を含みうる。
【００２６】
表される実施形態に従って、ＭＳＰ３０は、図１のＳＯＮＥＴネットワーク２０のようなＳＯＮＥＴネットワーク上でＳＯＮＥＴトラフィックを伝送するＳＯＮＥＴインターフェース３４を有する。ＳＯＮＥＴインターフェース３４は、更に又は代替的に、ＳＯＮＥＴトラフィックをやり取りするための光及び／又は電気構成要素のいずれかの組合せを含みうる。
【００２７】
ＭＳＰ３０は、また、参照番号２０２によって示されるように、ポート３６ａ及び３６ｂを介してネットワークエッジデバイスと夫々通信する２つのイーサネット(登録商標)カード３２ａ及び３２ｂを有する。ポート３６は、例えば、光ファイバ、ツイストペアケーブル、又はバランス型銅ケーブルのような、様々な物理レイヤーメディアに対応することができる。例えば、ポート３６ａ及び３６ｂは、光信号を送信するよう動作可能なレーザ送信器を有することができる。光信号は、光ファイバを通ってネットワークエッジデバイスへ進む。ネットワークエッジデバイスは、光信号を受信し、それを元の信号の形（例えば、電気信号。）に逆変換する。２つのイーサネットカード３２ａ及び３２ｂが表されるが、当然、いずれかの適切な数のイーサネットカードが、その実施に依存して、ＭＳＰ３０に含まれうる。更に、２つの信号が参照番号２０２によって表されるが、当然、１つのイーサネットカード３２は、１度に１つの信号を送信及び受信する。
【００２８】
ＭＳＰ３０は、また、イーサネット(登録商標)カード３２ａ及び３２ｂをＳＯＮＥＴインターフェース３４へ接続するスイッチ構造３８を有する。例えば、スイッチ構造３８は、イーサネットカード３２及びＳＯＮＥＴインターフェース３４の夫々へ、及び夫々から、同期伝送信号（ＳＴＳ）フレームを伝送するよう動作することができる。他の例として、スイッチ構造３８は、イーサネットカード３２の間でＳＴＳフレームをやり取りするよう動作することができる。
【００２９】
その実施に依存して、スイッチ構造３８は、ＭＳＰ３０の動作を容易にするよう数多くの様々な周知の機能を実行しても良い。例えば、スイッチ構造３８は、通常、いずれかの形式のポイント・ツー・ポイント又はポイント・ツー・マルチポイント接続を確立するよう、スイッチ構造３８を介して多数のインターフェースをともに接続する。スイッチ構造３８は多数の他の機能を有しうるが、表される実施形態に関連する１つの機能は、アクティブ状態のイーサネット(登録商標)カード及び非アクティブ状態のイーサネットカードから受け取ったトラフィック間を選択する能力である。
【００３０】
本発明の一実施形態に従って、スイッチ構造３８は、参照番号２０６によって示されるように、２つの異なる信号を受信して、参照番号２０８によって示されるように、ネットワーク上での通信のために、選択された信号をＳＯＮＥＴインターフェース３４へ伝送することができる。かかる信号選択を容易にするよう、スイッチ構造３８は、１又はそれ以上の経路選択器７０を有することができる。かかる経路選択器７０は、スイッチ構造に組み込まれ得る。
【００３１】
経路選択器７０は、関連するイーサネット(登録商標)カード３２ａ及び３２ｂからのアクティブ信号を選択するよう構成され得る。例えば、経路選択器７０がイーサネットカード３２ａからアクティブ信号を受信し、イーサネットカード３２ｂから非アクティブ信号を受信するならば、経路選択器７０は、イーサネットカード３２ａからのアクティブ信号を、ＳＯＮＥＴインターフェース３４へ出力されるよう選択することができる。
【００３２】
本発明の一実施形態に従って、イーサネット(登録商標)カード３２ａ及び３２ｂは、その信号において不具合インジケータを送信することによって、エラー信号を送信することができる。不具合インジケータは、例えば、ペイロード不具合（ｄｅｆｅｃｔ）インジケータ（ＰＤＩ）、ペイロード不具合インジケータ−パス（ｐａｔｈ）（ＰＤＩ−Ｐ）、ペイロード不具合インジケータ−バーチャル（ｖｉｒｔｕａｌ）（ＰＤＩ−Ｖ）、又はその他適切なエラーインジケータのような、信号の品質を表すいずれかのインジケータを指す。
【００３３】
イーサネット(登録商標)カード３２ａ及び３２ｂは、本発明の一実施形態に従うＰＤＩコンポーネント６０ａ及び６０ｂを用いて、不具合インジケータを送信することができる。ＰＤＩコンポーネント６０ａ及び６０ｂは、不具合インジケータを送信するよう動作可能ないずれかのハードウェア及び／又はロジックを指す。本発明の他の実施形態として、ＰＤＩコンポーネント６０ａ及び６０ｂは、ＥＯＳフレーマ５０ａ及び５０ｂの構成要素であっても良い。
【００３４】
本発明の一実施形態に従って、イーサネット(登録商標)カード３２ａ及び３２ｂは、非アクティブカードから不具合インジケータを送信することができる。以下で更に詳細に説明される例で、イーサネットカード３２ｂは非アクティブカードとして指定され、イーサネットカード３２ａはアクティブカードとして指定され得る。非アクティブカードとして、イーサネットカード３２ｂは、様々な信号を受信しても、あるいは、全く信号を受信しなくても良い。例えば、イーサネットカード３２ｂは、ネットワークエッジデバイス４０から信号を受信することができない。他の例として、イーサネットカード３２ｂは、非アクティブ信号を受信することができる。非アクティブ信号又は非アクティブトラフィックは、イーサネットトラフィックにおけるアイドル状態のイーサネットフレームを指し、「ダミー」イーサネットトラフィック又は「エンプティ」イーサネットトラフィックを含みうる。他の例として、イーサネットカード３２ｂは、アクティブ状態のイーサネットカード３２ａへ送信された信号の複製であるアクティブ信号を受信することができる。アクティブ信号又はアクティブトラフィックは、イーサネットトラフィックにおけるアクティブ状態のイーサネットフレームを指す。前出の例のいずれにおいても、ＰＤＩコンポーネント６０ｂは、不具合インジケータを経路選択器７０へ送信するよう構成され得る。ＰＤＩコンポーネント６０ｂは、また、イーサネットカードがネットワークエッジデバイス４０から不良信号又は失敗メッセージを受信する場合に、不具合インジケータを経路選択器７０へ送信するよう構成され得る。このように、経路選択器７０は、イーサネットカード３２ｂが非アクティブであると判断し、イーサネットカード３２ａからのアクティブ信号をＳＯＮＥＴインターフェース３４へ出力されるよう選択することができる。しかし、本開示は、不具合インジケータを送信するための多様な技術を検討する。様々な実施形態は、挙げられている技術の幾つか又は全てを含んでも良く、あるいは、全く含まなくても良い。
【００３５】
イーサネット(登録商標)カード３２ａ及び３２ｂは、ＭＳＰ３０が結合されたネットワーク上での通信のために、受け取ったトラフィックを下処理することができる。例えば、イーサネットカード３２は、イーサネットトラフィックを受け取って、ＳＯＮＥＴネットワーク上での通信のために、イーサネットトラフィックを含むＳＯＮＥＴフレームを生成するＥＯＳフレーマ５０ａ及び５０ｂ（又は他の適切な構成要素）を有しても良い。逆に言えば、ＥＯＳフレーマ５０ａ及び５０ｂは、また、イーサネットフレームを含むＳＯＮＥＴトラフィックを受け取って、かかるイーサネットフレームを、イーサネットネットワーク上での通信のために取り出すことができる。ＥＯＳフレーマは、様々なカプセル化技術を用いて、かかる機能を実行することができる。例えば、ＧＦＰは、イーサネットトラフィックパケットデータを同期ＳＯＮＥＴトラフィックにカプセル化するためのプロトコルである。ＥＯＳフレーマ５０ａ及び５０ｂは、スイッチ構造３８へ接続されたイーサネットカード又は他の装置においてロジックとして実施されても良く、あるいは、代替的に、スイッチ構造３８に組み込まれても良い。
【００３６】
当該実施形態に従って、イーサネット(登録商標)カード３２ａ及び３２ｂは、参照番号２０４によって示されるように、１つの方向にあるイーサネットトラフィックをＳＯＮＥＴトラフィックにマッピングするよう動作する。スイッチ構造３８は、参照番号２０６によって示されるように、２つの異なる信号を受信して、参照番号２０８によって示されるように、ネットワーク上での通信のために、選択された信号をＳＯＮＥＴインターフェース３４へ伝送することができる。参照番号２１０によって示されるような反対の方向で、ＳＯＮＥＴネットワークからのＳＯＮＥＴトラフィックは、スイッチ構造３８からＥＯＳフレーマ５０ａ及び５０ｂへ送られる。ポート３６ａ及び３６ｂの状態に基づき、イーサネットカード３２ａ及び３２ｂからのイーサネットトラフィックは、参照番号２１２によって示されるように、ネットワークエッジデバイスへ送られる。
【００３７】
動作の一実施形態に従って、イーサネット(登録商標)カード３２ａはアクティブに指定され、一方、イーサネットカード３２ｂは非アクティブに指定され得る。例として、イーサネットカード３２ａのポート３６ａはアクティブにされ、イーサネットカード３２ｂのポート３６ｂは非アクティブにされ得る。以下で更に詳細に記載されるように、ネットワーク障害がイーサネットカード３２ａにおいて、あるいは、イーサネットカード３２ａとネットワーク２２との間の接続により検出されるならば、イーサネットカード３２ｂは、ポート３２ａを非アクティブにし、ポート３２ｂをアクティブにし、それによって、イーサネットカード３２ａよりむしろイーサネットカード３２ｂと通信し始めるようネットワークエッジデバイス４０に指示することによって、新しいアクティブカードとして指定され得る。様々な実施形態に従って、ポート３２ａ及び３２ｂをアクティブ又は非アクティブにすることは、イーサネットカード３２ａ及び３２ｂにおいてレーザ送信器をオン又はオフにすることを含む。例えば、ネットワークエッジデバイス４０は、トラフィックをネットワークエッジデバイス４０へ送信するアクティブ状態のイーサネットカードとの通信を自動で開始するよう、リンクアグリゲーションの下で構成され得る。
【００３８】
ＭＳＰ３０は、また、コントローラ６２を有する。コントローラ６２は、イーサネット(登録商標)カード３２の状態を制御する役目を担う。コントローラ６２は、ネットワーク障害に関して、イーサネットカード３２ａ及び３２ｂと、それらの接続とを監視するよう動作可能ないずれかの適切なロジックを指す。例えば、コントローラ６２は、ハードウェアクロックを確認し、レジスタを読み出し、集積回路フラグを確認し、イーサネットカード３２ａ及び３２ｂで受信される信号のデータ保全性を照合することによってイーサネットカード３２ａ及び３２ｂを監視するソフトウェアを有しうる。しかし、コントローラ６２は、いずれかの他の適切な監視機能を実行しても良い。
【００３９】
コントローラ６２は、更に、イーサネット(登録商標)カード３２ａ及び３２ｂの状態に基づき、ＰＤＩコンポーネント６０ａ及び６０ｂと、制御ポート３６ａ及び３６ｂとを制御するよう動作する。例えば、イーサネットカード３２ａがアクティブに指定され、イーサネットカード３２ｂが非アクティブに指定され得る。アクティブカードに関し、コントローラ６２はイーサネットカード３２ａのポート３６ａをアクティブにすることができる。非アクティブカードに関し、コントローラ６２は、ポート３６ｂを非アクティブにし、ＰＤＩコンポーネント６０ｂを、イーサネットカード３２ｂからの不具合インジケータを送信するよう設定することができる。
【００４０】
コントローラ６２がイーサネット(登録商標)カード３２ａでネットワーク障害を検出するならば、コントローラ６２は、ポート３６ａを非アクティブにし、ポート３６ｂをアクティブにすることができる。様々な実施形態に従って、ポート３６ａ及び３６ｂをアクティブ及び非アクティブにすることは、イーサネットカード３２ａ及び３２ｂにおいてレーザ送信器をオン又はオフにすることを含みうる。コントローラ６２は、また、ＰＤＩコンポーネント６０ｂを、不具合インジケータの送信を停止するよう設定し、ＰＤＩコンポーネント６０ａを、不具合インジケータを送信するよう設定することができる。このように、ネットワークエッジデバイス４０は、以下で更に記載されるように、イーサネットカード３２ａよりむしろ、イーサネットカード３２ｂと通信し始める。
【００４１】
図３は、本発明の一実施形態に従う、アクティブである一次イーサネット(登録商標)カードを有するＭＳＰ３０の動作を表すブロック図である。表される実施形態において、ポート３６ａ及び３６ｂへ結合される、例えばネットワークエッジデバイス４０のようなネットワークエッジデバイス４０は、イーサネットトラフィックを伝送するよう構成され得る。例えば、コントローラ６２は、イーサネットカード３２ａをアクティブカードとして指定し、イーサネットカード３２ｂを非アクティブカードとして指定することができる。
【００４２】
コントローラ６２は、参照番号３０２によって示されるように、ポート３６ａをアクティブにすることによって、イーサネット(登録商標)カード３２ａでのかかる指定を容易にすることができる。ポート３６ａをアクティブにすることは、イーサネットカード３２ａにおいてレーザ送信器をオンにすることを含みうる。コントローラ６２は、また、参照番号３０４によって示されるように、ポート３６ｂを非アクティブにすることによって、イーサネットカード３２ｂを非アクティブカードとして指定することができる。ポート３６ｂを非アクティブにすることは、イーサネットカード３２ｂにおいてレーザ送信器をオフにすることを含みうる。
【００４３】
コントローラ６２は、更に、参照番号３０５によって示されるように、ＰＤＩコンポーネント６０ｂを、不具合インジケータを送信するよう設定することによって、イーサネット(登録商標)カード３２ｂにおいてかかる指定を容易にすることができる。コントローラ６２は、また、参照番号３０７によって示されるように、ＰＤＩコンポーネント６０ａを、不具合インジケータを送信することなしに信号を転送するよう設定することによって、イーサネットカード３２ａをアクティブカードとして指定することができる。代替的に、ＰＤＩコンポーネント６０ａは、故障による不具合インジケータを送信することなく信号を転送するよう構成され得る。
【００４４】
参照番号３０６によって示されるように、アクティブ信号は、イーサネット(登録商標)カード３２ａにおいてポート３６ａから伝送され得、イーサネットカード３２ｂにおいてポート３６ｂからは信号が伝送され得ない。例えばネットワークエッジデバイス４０のようなネットワークエッジデバイスは、アクティブ信号をポート３６ａへ伝送し、ポート３６ｂには信号を伝送しないことによって、アクティブ信号に応答することができる。例えば、ネットワークエッジデバイス４０は、アクティブ状態のイーサネットカード３２ａと自動で通信し始めるよう、リンクアグリゲーションの下で構成されても良い。
【００４５】
参照番号３１０によって示されるように、ネットワークエッジデバイスから受信したアクティブ信号は、ＰＤＩコンポーネント６０ａによって経路選択器７０へ転送される。参照番号３１２によって示されるように、ＰＤＩコンポーネント６０ｂは、不具合インジケータを経路選択器７０へ送信する。このように、経路選択器７０は、参照番号３１４によって示されるように、ＳＯＮＥＴネットワーク上での通信のためにＳＯＮＥＴインターフェース３４へ送信されるよう、イーサネット(登録商標)カード３２ａからのアクティブ信号を選択する。
【００４６】
参照番号３１６によって示されるように、ＳＯＮＥＴトラフィックを含む信号は、ＳＯＮＥＴネットワークから受信され、スイッチ構造３８を介してＥＯＳフレーマ５０ａ及び５０ｂへ送信され得る。アクティブ状態のイーサネット(登録商標)カード３２ａに関して、信号は、ＥＯＳフレーマ５０ａによってＳＯＮＥＴトラフィックからイーサネットトラフィックへと変換されて、参照番号３０６によって示されるように、ネットワークエッジデバイスへ転送され得る。非アクティブ状態のイーサネットカード３２ｂに関して、ポート３６ｂが非アクティブであるので、信号は転送されない。
【００４７】
このように、イーサネット(登録商標)カード３２ｂは、イーサネットカード３２ａにおいて不具合が生ずる場合に、代用を円滑にするよう、余分のカードとして使用され得る。従って、イーサネットカード３２ａがネットワークエッジデバイスとの通信を妨げる不具合を経験する場合、イーサネット接続は、図４を参照して以下でより詳細に記載されるように、イーサネットカード３２ａの代わりに、イーサネットカード３２ｂへ及びイーサネットカード３２からトラフィックを伝送することによって、保護され得る。
【００４８】
図４は、本発明の一実施形態に従う、アクティブである二次イーサネット(登録商標)カードを有するＭＳＰ３０の動作を表すブロック図である。表される実施形態において、コントローラ６２がイーサネットカード３２ａにおいてネットワーク障害を検出するならば、コントローラ６２は、参照番号４０２によって示されるようにポート３６ａを非アクティブにし、且つ、参照番号４０４によって示されるようにポート３６ｂをアクティブにすることによって、接続を二次イーサネットカード３２ｂへ切り替えることができる。様々な実施形態に従って、ポート３６ａ及び３６ｂをアクティブ及び非アクティブにすることは、イーサネットカード３２ａ及び３２ｂにおいてレーザ送信器をオン及びオフにすることを含みうる。コントローラ６２は、更に、参照番号４０５によって示されるように、ＰＤＩコンポーネント６０ｂを、不具合インジケータの送信を停止するよう設定することによって、かかる切替えを容易にすることができる。コントローラ６２は、また、参照番号４０７によって示されるように、ＰＤＩコンポーネント６０ａを、不具合インジケータの送信を開始するよう設定することができる。
【００４９】
例えばネットワークエッジデバイス４０のようなネットワークエッジデバイスは、イーサネット(登録商標)カード３２ａがもはやアクティブ信号を送信していないことを検出し、更に、イーサネットカード３２ｂが、参照番号４０８によって示されるように、アクティブ信号を送信していることを検出することができる。このように、ネットワークエッジデバイスは、アクティブ信号をイーサネットカード３２へ伝送し、イーサネットカード３２ａには信号を伝送しない。例えば、ネットワークエッジデバイス４０は、アクティブ状態のイーサネットカード３２ｂと自動で通信し始めるよう、リンクアグリゲーションの下で構成され得る。
【００５０】
参照番号４１０によって示されるように、ネットワークエッジデバイスから受信したアクティブ信号は、ＰＤＩコンポーネント６０ｂによって経路選択器７０へ転送される。参照番号４１２によって示されるように、ＰＤＩコンポーネント６０ａは、不具合インジケータを経路選択器７０へ送信する。このように、経路選択器７０は、参照番号４１４によって示されるように、ＳＯＮＥＴネットワーク上での通信のためにＳＯＮＥＴインターフェース３４へ送信されるよう、イーサネット(登録商標)カード３２ｂからのアクティブ信号を選択する。
【００５１】
参照番号４１６によって示されるように、ＳＯＮＥＴトラフィックを含む信号は、ＳＯＮＥＴネットワークから受信され、スイッチ構造３８を介してＥＯＳフレーマ５０ａ及び５０ｂへ送信され得る。アクティブ状態のイーサネット(登録商標)カード３２ｂに関して、信号は、ＥＯＳフレーマ５０ｂによってＳＯＮＥＴトラフィックからイーサネットトラフィックへと変換されて、参照番号４０８によって示されるように、ネットワークエッジデバイスへ転送され得る。非アクティブ状態のイーサネットカード３２ａに関して、ポート３６ａが非アクティブであるので、信号は転送されない。
【００５２】
このように、本発明の例となる実施形態は、一のイーサネット(登録商標)カードを選択的にアクティブにして、そのアクティブ状態のイーサネットカードを介してイーサネットトラフィックを伝送するよう動作するＭＳＰを提供することによって、ＭＳＰ３０とネットワーク２２との間のイーサネット接続に保護を提供する。不具合を検出すると、ＭＳＰ３０は、第２のイーサネットカードに自動的に切り替えて、その第２のイーサネットカードを介してイーサネットトラフィックを伝送するよう動作することができる。このように、例えばネットワークエッジデバイス４０のようなネットワークエッジデバイスは、以前にアクティブ状態であったイーサネットカードがもはやアクティブ信号を送信していないことを検出し、新たにアクティブ状態となったイーサネットカードにより然るべく通信するよう構成され得る。
【００５３】
図５は、本発明の一実施形態に従う、イーサネット(登録商標)接続の保護を提供する例となる方法５００を表す。例となる方法５００は、ステップ５０２から始まる。ステップ５０２で、第１及び第２のＬＡＮカードがマルチサービスプラットフォームに設けられる。第１及び第２のＬＡＮカードは、夫々、少なくとも１つのポートを有する。第１及び第２のＬＡＮカードは、ＬＡＮトラフィックを伝送するよう、それらの夫々のポートを介してネットワークエッジデバイスへ結合されている。
【００５４】
ステップ５０４で、第１のＬＡＮカードはアクティブカードとして指定され、第２のＬＡＮカードは非アクティブカードとして指定される。第１のＬＡＮカードを非アクティブカードとして指定することは、ＬＡＮトラフィックが第１のＬＡＮカードのポートからネットワークエッジデバイスへ伝送されるように、第１のＬＡＮカードのポートをアクティブにすることを含む。第２のＬＡＮカードを非アクティブカードとして指定することは、ＬＡＮトラフィックが第２のＬＡＮカードのポートからネットワークエッジデバイスへ伝送されないように、第２のＬＡＮカードのポートを非アクティブにすることを含む。
【００５５】
ステップ５０６で、ネットワーク障害は、第１のＬＡＮカードに関連して検出される。ステップ５０８で、ＬＡＮトラフィックは、第２のＬＡＮカードをアクティブカードとして及び第１のＬＡＮカードを非アクティブカードとして指定することによって保護される。第２のＬＡＮカードをアクティブカードとして指定することは、ＬＡＮトラフィックが第２のＬＡＮカードのポートからネットワークエッジデバイスへ伝送されるように、第２のＬＡＮカードのポートをアクティブにすることを含む。第１のＬＡＮカードを非アクティブカードとして指定することは、ＬＡＮトラフィックが第１のＬＡＮカードのポートからネットワークエッジデバイスへ伝送されないように、第１のＬＡＮカードのポートを非アクティブにすることを含む。このように、ネットワークエッジデバイスは、図３及び図４に記載されるように、以前にアクティブ状態であったイーサネット(登録商標)カードがもはやアクティブ信号を送信していないことを検出し、新たにアクティブ状態となったイーサネットカードと然るべく通信するよう構成され得る。
【００５６】
当然、図５に表されるステップの幾つは、必要に応じて結合、変更又は削除されても良く、また、更なるステップがフローチャートに加えられても良い。更に、上述されたように、ステップは、本発明の技術的範囲から逸脱することなく如何なる適切な順序で実行されても良い。
【００５７】
本発明は特定の実施形態に関して詳細に記載されてきたが、当然、様々な他の変更、置換及び代替が、本発明の趣旨及び技術的範囲から逸脱することなく行われ得る。例えば、本発明はＭＳＰ３０に含まれる多数の構成要素に関して記載されてきたが、他の様々な構成要素が特定のニーズに適応するよう利用され得る。本発明は、かかる要素並びにそれらの内部の構成要素の配置において高い柔軟性を考える。
【００５８】
多数の他の変更、置換、変形、代替及び修正は、いわゆる当業者によって確かめられ得、本発明が、添付の特許請求の範囲の趣旨及び技術的範囲内にあるよう、全てのこのような変更、置換、変形、代替及び修正を包含することが意図される。更に、本発明は、特許請求の範囲に示されない明細書中の如何なる記述によっても何ら限定されるよう意図されない。
【００５９】
（付記１）  ローカルエリアネットワーク（ＬＡＮ）接続の保護を提供する方法であって、
少なくとも１つのポートを夫々有し、ＬＡＮトラフィックを伝送するようそれらの夫々のポートを介してネットワークエッジデバイスへ結合される第１及び第２のＬＡＮカードをマルチサービスプラットフォームに設けるステップと、
ＬＡＮトラフィックが前記第１のＬＡＮカードのポートから前記ネットワークエッジデバイスへと伝送されるように前記第１のＬＡＮカードのポートをアクティブにするよう、前記第１のＬＡＮカードをアクティブカードとして指定し、ＬＡＮトラフィックが前記第２のＬＡＮカードのポートから前記ネットワークエッジデバイスへと伝送されないように前記第２のＬＡＮカードのポートを非アクティブにするよう、前記第２のＬＡＮカードを非アクティブカードとして指定するステップと、
前記第１のＬＡＮカードに関連するネットワーク障害を検出するステップと、
前記第２のＬＡＮカードをアクティブカードとして及び前記第１のＬＡＮカードを非アクティブカードとして指定し、前記ＬＡＮトラフィックを前記第２のＬＡＮカードから前記ネットワークエッジデバイスへと伝送することによって、前記第２のＬＡＮカードと前記ＬＡＮとの間でやり取りされるＬＡＮトラフィックを保護するステップとを有する方法。
【００６０】
（付記２）  前記第１のＬＡＮカード及び前記第２のＬＡＮカードへ結合され、且つ、ワイドエリアネットワーク（ＷＡＮ）へ結合されるスイッチ構造をマルチサービスプラットフォームに設けるステップと、
前記第１のＬＡＮカードへ結合される第１の入力部と、前記第２のＬＡＮカードへ結合される第２の入力部とを有し、前記第１の入力部と前記第２の入力部との間を選択するよう動作可能な経路選択器を前記スイッチ構造に設けるステップとを更に有し、
前記第１のＬＡＮカードをアクティブカードとして及び前記第２のＬＡＮカードを非アクティブカードとして指定する前記ステップは、前記経路選択器が前記ＷＡＮを介して送るよう前記第１のＬＡＮカードからトラフィックを選択するように、不具合インジケータを前記経路選択器の前記第２の入力部へ送信する、付記１記載の方法。
【００６１】
（付記３）  前記第２のＬＡＮカードをアクティブカードとして及び前記第１のＬＡＮカードを非アクティブカードとして指定することによってＬＡＮトラフィックを保護する前記ステップは、前記経路選択器が前記ＷＡＮを介して送るよう前記第２のＬＡＮカードからトラフィックを選択するように、不具合インジケータを前記経路選択器の前記第１の入力部へ送る、付記２記載の方法。
【００６２】
（付記４）  前記不具合インジケータはペイロード不具合インジケータ（ＰＤＩ）である、付記２記載の方法。
【００６３】
（付記５）  前記第１のＬＡＮカード及び前記第２のＬＡＮカードのポートは、夫々、光ファイバを介して光信号を送信可能なレーザ送信器を少なくとも１つ有し、
前記第１のＬＡＮカードのポートをアクティブにするステップは、前記レーザ送信器をオンにするステップを含み、
前記第２のＬＡＮカードのポートを非アクティブにするステップは、前記レーザ送信器をオフにするステップを含む、付記１記載の方法。
【００６４】
（付記６）  前記第１のＬＡＮカードのポートをアクティブにし、且つ、前記第２のＬＡＮカードのポートを非アクティブにするステップは、ＬＡＮトラフィックを前記第２のＬＡＮカードへ伝送するよう前記ネットワークエッジデバイスに指示する、付記１記載の方法。
【００６５】
（付記７）  前記第１のＬＡＮカード及び前記第２のＬＡＮカードへ結合され、且つ、ワイドエリアネットワーク（ＷＡＮ）へ結合されるスイッチ構造をマルチサービスプラットフォームに設けるステップと、
前記第１のＬＡＮカードへ結合される第１の入力部と、前記第２のＬＡＮカードへ結合される第２の入力部とを有し、前記第１の入力部と前記第２の入力部との間を選択するよう動作可能な経路選択器を前記スイッチ構造に設けるステップとを更に有し、
ＬＡＮトラフィックを前記第２のＬＡＮカードへ伝送するための前記ネットワークエッジデバイスに対する前記指示は、前記経路選択器が前記ＷＡＮを介して送るよう前記第２のＬＡＮカードからトラフィックを選択するように、不具合インジケータが前記経路選択器の前記第１の入力部へ送信されることをもたらす、付記６記載の方法。
【００６６】
（付記８）  ローカルエリアネットワーク（ＬＡＮ）へ結合されるマルチサービスプラットフォームであって、
少なくとも１つのポートを夫々有し、ＬＡＮトラフィックを伝送するようそれらの夫々のポートを介してネットワークエッジデバイスへ結合される第１及び第２のＬＡＮカードを有し、
ＬＡＮトラフィックが前記第１のＬＡＮカードのポートから前記ネットワークエッジデバイスへと伝送されるように前記第１のＬＡＮカードのポートをアクティブにするよう、前記第１のＬＡＮカードをアクティブカードとして指定し、ＬＡＮトラフィックが前記第２のＬＡＮカードのポートから前記ネットワークエッジデバイスへと伝送されないように前記第２のＬＡＮカードのポートを非アクティブにするよう、前記第２のＬＡＮカードを非アクティブカードとして指定し、
前記第１のＬＡＮカードに関連するネットワーク障害を検出し、且つ
前記第２のＬＡＮカードをアクティブカードとして及び前記第１のＬＡＮカードを非アクティブカードとして指定し、前記ＬＡＮトラフィックを前記第２のＬＡＮカードから前記ネットワークエッジデバイスへと伝送することによって、前記第２のＬＡＮカードと前記ＬＡＮとの間でやり取りされるＬＡＮトラフィックを保護するよう動作するマルチサービスプラットフォーム。
【００６７】
（付記９）  前記第１のＬＡＮカード及び前記第２のＬＡＮカードへ結合され、且つ、ワイドエリアネットワーク（ＷＡＮ）へ結合されるスイッチ構造と、
前記第１のＬＡＮカードへ結合される第１の入力部と、前記第２のＬＡＮカードへ結合される第２の入力部とを有し、前記第１の入力部と前記第２の入力部との間を選択するよう動作可能な経路選択器とを更に有し、
前記第１のＬＡＮカードをアクティブカードとして及び前記第２のＬＡＮカードを非アクティブカードとして指定するよう動作可能な当該マルチサービスプラットフォームは、前記経路選択器が前記ＷＡＮを介して送るよう前記第１のＬＡＮカードからトラフィックを選択するように、不具合インジケータを前記経路選択器の前記第２の入力部へ送信する、付記８記載のマルチサービスプラットフォーム。
【００６８】
（付記１０）  前記第２のＬＡＮカードをアクティブカードとして及び前記第１のＬＡＮカードを非アクティブカードとして指定することによってＬＡＮトラフィックを保護するよう動作可能な当該マルチサービスプラットフォームは、前記経路選択器が前記ＷＡＮを介して送るよう前記第２のＬＡＮカードからトラフィックを選択するように、不具合インジケータを前記経路選択器の前記第１の入力部へ送る、付記９記載のマルチサービスプラットフォーム。
【００６９】
（付記１１）  前記不具合インジケータはペイロード不具合インジケータ（ＰＤＩ）である、付記９記載のマルチサービスプラットフォーム。
【００７０】
（付記１２）  前記第１のＬＡＮカード及び前記第２のＬＡＮカードのポートは、夫々、光ファイバを介して光信号を送信可能なレーザ送信器を少なくとも１つ有し、
前記第１のＬＡＮカードのポートのアクティブ化は、前記レーザ送信器をオンにし、
前記第２のＬＡＮカードのポートの非アクティブ化は、前記レーザ送信器をオフにする、付記８記載のマルチサービスプラットフォーム。
【００７１】
（付記１３）  前記第１のＬＡＮカードのポートのアクティブ化及び前記第２のＬＡＮカードのポートの非アクティブ化は、ＬＡＮトラフィックを前記第２のＬＡＮカードへ伝送するための前記ネットワークエッジデバイスに対する指示に対応する、付記８記載のマルチサービスプラットフォーム。
【００７２】
（付記１４）  前記第１のＬＡＮカード及び前記第２のＬＡＮカードへ結合され、且つ、ワイドエリアネットワーク（ＷＡＮ）へ結合されるスイッチ構造と、
前記第１のＬＡＮカードへ結合される第１の入力部と、前記第２のＬＡＮカードへ結合される第２の入力部とを有し、前記第１の入力部と前記第２の入力部との間を選択するよう動作可能な経路選択器とを更に有し、
ＬＡＮトラフィックを前記第２のＬＡＮカードへ伝送するための前記ネットワークエッジデバイスに対する前記指示は、前記経路選択器が前記ＷＡＮを介して送るよう前記第２のＬＡＮカードからトラフィックを選択するように、不具合インジケータが前記経路選択器の前記第１の入力部へ送信されることをもたらす、付記１３記載のマルチサービスプラットフォーム。
【００７３】
（付記１５）  ローカルエリアネットワーク（ＬＡＮ）接続の保護を提供するシステムであって、
少なくとも１つのポートを夫々有し、ＬＡＮトラフィックを伝送するようそれらの夫々のポートを介してネットワークエッジデバイスへ結合される第１及び第２のＬＡＮカードを有するマルチサービスプラットフォームと、
ＬＡＮトラフィックが前記第１のＬＡＮカードのポートから前記ネットワークエッジデバイスへと伝送されるように前記第１のＬＡＮカードのポートをアクティブにするよう、前記第１のＬＡＮカードをアクティブカードとして指定し、ＬＡＮトラフィックが前記第２のＬＡＮカードのポートから前記ネットワークエッジデバイスへと伝送されないように前記第２のＬＡＮカードのポートを非アクティブにするよう、前記第２のＬＡＮカードを非アクティブカードとして指定し、
前記第１のＬＡＮカードに関連するネットワーク障害を検出し、且つ
前記第２のＬＡＮカードをアクティブカードとして及び前記第１のＬＡＮカードを非アクティブカードとして指定し、前記ＬＡＮトラフィックを前記第２のＬＡＮカードから前記ネットワークエッジデバイスへと伝送することによって、前記第２のＬＡＮカードと前記ＬＡＮとの間でやり取りされるＬＡＮトラフィックを保護する手段とを有するシステム。
【００７４】
（付記１６）  前記第１のＬＡＮカード及び前記第２のＬＡＮカードへ結合され、且つ、ワイドエリアネットワーク（ＷＡＮ）へ結合されるスイッチ構造と、
前記第１のＬＡＮカードへ結合される第１の入力部と、前記第２のＬＡＮカードへ結合される第２の入力部とを有し、前記第１の入力部と前記第２の入力部との間を選択するよう動作可能な経路選択器とを更に有し、
前記第１のＬＡＮカードをアクティブカードとして及び前記第２のＬＡＮカードを非アクティブカードとして指定する前記手段は、前記経路選択器が前記ＷＡＮを介して送るよう前記第１のＬＡＮカードからトラフィックを選択するように、不具合インジケータを前記経路選択器の前記第２の入力部へ送信する、付記１５記載のシステム。
【図面の簡単な説明】
【００７５】
【図１】通信リンクを介して情報をやり取りするための例となる異機種ネットワークを表すブロック図である。
【図２】本発明の一実施形態に従うマルチサービスプラットフォーム（ＭＳＰ）の詳細を表すブロック図である。
【図３】本発明の一実施形態に従う、アクティブである一次イーサネットカードを有するＭＳＰの動作を表すブロック図である。
【図４】本発明の一実施形態に従う、アクティブである二次イーサネットカードを有するＭＳＰの動作を表すブロック図である。
【図５】本発明の一実施形態に従う、イーサネット接続のための保護を提供するための例となる方法を表す。
【符号の説明】
【００７６】
１０  異機種ネットワーク
１４  通信リンク
２０  ＳＯＮＥＴネットワーク
２２ａ，２２ｂ  イーサネットネットワーク
３０  マルチサービスプラットフォーム（ＭＳＰ）
３２，３２ａ，３２ｂ  イーサネットカード
３４  ＳＯＮＥＴインターフェース
３６ａ，３６ｂ  イーサネットポート
３８  スイッチ構造
４０  ネットワークエッジデバイス
５０ａ，５０ｂ  ＥＯＳフレーマ
６０ａ，６０ｂ  ＰＤＩコンポーネント
７０  経路選択器
【図１】
2008141754.tif 000003
【図２】
2008141754.tif 000004
【図３】
2008141754.tif 000005
【図４】
2008141754.tif 000006
【図５】
2008141754.tif 000007